(57)【要約】【課題】記録媒体を搬送する搬送ベルトに作用する摩擦を軽減しつつ、記録媒体の平面性を確保することができる画像形成装置を提供する。【解決手段】画像形成装置は、搬送方向に沿って記録媒体を搬送する搬送ベルト２１を含む搬送部２０と、搬送される記録媒体に向けてインクを吐出する少なくとも１つ以上のヘッド部と、記録媒体を搬送ベルト２１に吸着させるための吸引部３０と、を備える。搬送部２０には、記録媒体の画像形成領域に対応してヘッド部がインクを吐出する領域を少なくとも含む第１吸引領域Ｒ１と第１吸引領域Ｒ１の周囲に位置する第２吸引領域Ｒ２とが設けられている。吸引部３０による吸引力が、第２吸引領域Ｒ２よりも第１吸引領域Ｒ１の方が大きくなっている。【選択図】図２
2019198967.tif 000002
【特許請求の範囲】
【請求項１】
搬送方向に沿って記録媒体を搬送する搬送ベルトを含む搬送部と、
搬送される前記記録媒体に向けてインクを吐出する少なくとも１つ以上のヘッド部と、
前記記録媒体を前記搬送ベルトに吸着させるための吸引部と、を備え、
前記搬送部には、前記記録媒体の画像形成領域に対応して前記ヘッド部がインクを吐出する領域を少なくとも含む第１吸引領域と前記第１吸引領域の周囲に位置する第２吸引領域とが設けられ、
前記吸引部による吸引力が、前記第２吸引領域よりも前記第１吸引領域の方が大きくなっている、画像形成装置。
【請求項２】
前記吸引部の吸引動作を制御する制御部をさらに備え、
前記制御部は、前記画像形成領域の大きさ、および／または画像形成態様に応じて前記吸引動作を制御することにより、前記第１吸引領域の大きさを変更する、請求項１に記載の画像形成装置。
【請求項３】
前記搬送部は、前記ヘッド部と向かい合うように配置され、前記ヘッド部との間を前記搬送ベルトが通過するように前記搬送ベルトを支持する支持部材を含み、
前記搬送ベルトには、複数の吸引孔が設けられ、
前記支持部材には、当該支持部材に当接する部分の前記搬送ベルトに設けられた複数の前記吸引孔に連通する複数の貫通孔が設けられ、
前記支持部材において、前記複数の貫通孔が設けられた領域は複数の区画領域に区画されており、
前記吸引部は、前記区画領域ごとに前記吸引孔および前記貫通孔を介して気体を吸引可能に構成され、
前記制御部は、前記複数の区画領域のうちの前記第１吸引領域に対応する一部の前記区画領域における吸引力が前記複数の区画領域のうちの他の前記区画領域における吸引力よりも大きくなるように、前記吸引動作を制御する、請求項２に記載の画像形成装置。
【請求項４】
前記ヘッド部よりも前記搬送方向上流側に配置され、搬送される前記記録媒体を前記搬送ベルトに向けて押し当てる押し当て部材をさらに備え、
前記押し当て部材は、前記搬送方向における前記第２吸引領域と前記第１吸引領域との境界部に配置され、
前記記録媒体は、前記押し当て部材によって前記搬送ベルトに向けて押しつけられた状態で前記第１吸引領域に搬送される、請求項１から３のいずれか１項に記載の画像形成装置。
【請求項５】
前記押し当て部材は、ローラー部材によって構成されている、請求項４に記載の画像形成装置。
【請求項６】
前記ローラー部材が前記搬送方向に向けて前記記録媒体を搬送する搬送速度は、前記搬送部が前記記録媒体を搬送する速度と同等以上である、請求項５に記載の画像形成装置。
【請求項７】
前記少なくとも１つ以上のヘッド部は、第１ヘッド部と、前記第１ヘッド部よりも前記搬送方向の下流側に配置された第２ヘッド部とを含み、
前記押し当て部材は、少なくとも前記第１ヘッド部と前記第２ヘッド部との間に配置されており、
前記搬送方向において前記第１ヘッド部と前記押し当て部材との間に配置され、前記第１ヘッド部から前記記録媒体に吐出されたインクを硬化させるための光照射部をさらに備える、請求項４から６のいずれか１項に記載の画像形成装置。
【請求項８】
前記第１ヘッド部と前記光照射部との間に配置された仕切部材をさらに備え、
前記仕切部材は、前記光照射部から照射されて前記第１ヘッド部に向かう光を遮光する、請求項７に記載の画像形成装置。
【請求項９】
前記仕切部材を移動させるための移動機構と、
前記移動機構の動作を制御する制御部をさらに備え、
前記制御部は、前記移動機構の動作を制御して、前記記録媒体の厚みに応じて前記仕切部材と前記搬送ベルトとの間の間隔を調整する、請求項８に記載の画像形成装置。
【請求項１０】
前記光照射部および前記第１ヘッド部の周辺に浮遊する浮遊物を回収可能なダクトをさらに備えた、請求項７から９のいずれか１項に記載の画像形成装置。
【発明の詳細な説明】
【技術分野】
【０００１】
本開示は、インクを吐出するヘッド部を備えた画像形成装置に関する。
【背景技術】
【０００２】
近年、商業目的で取り扱われる印刷物を印刷可能な画像形成装置として、産業用インクジェット記録装置が開発されている。この産業用インクジェット記録装置においては、一般消費者向けインクジェット記録装置と比べて、より高い画像品質が要求される。
【０００３】
パッケージ印刷製品の分野においては、たとえば０．３ｍｍ〜１．５ｍｍ程度の厚さを有する厚紙（フルート紙、および段ボール等）に対して画像を形成する場合がある。このような場合であっても、より高い画像品質が要求される。
【０００４】
このような厚紙に対して高画質の画像を形成するためには、用紙を水平な状態で搬送し、用紙と、当該用紙に向けてインクを吐出するヘッドとの間の距離を一定に保つことが必要となる。用紙とヘッドとの間の距離を一定に保つことにより、所望の箇所に適量のインクを付着させることができる。
【０００５】
一般的に、用紙は、搬送ベルトによって搬送される。搬送ベルトに搬送される用紙の平面性（より具体的には用紙ヘッドとの間の距離）は、搬送ベルトの平面性、当該搬送ベルトを支持する支持部材の平面性、および用紙と搬送ベルトとの吸着性に左右される。
【０００６】
このうち吸着性は、複数の穴を有する搬送ベルトおよび複数の吸引孔を有するベルト支持部材に対して負圧を発生させ、搬送ベルトと用紙との間を真空状態に近づけることで確保される。
【０００７】
上述のような搬送機構を具備するインクジェット記録装置が開示された文献として、たとえば、特開２０１６−１５０７９４号公報（特許文献１）、ＷＯ２０１３／１５０６７７（特許文献２）、および特開２０１６−１０７４３５号公報（特許文献３）等が挙げられる。
【０００８】
特許文献１に開示のインクジェット記録装置においては、搬送ベルトが巻回される一対の巻回ローラーの間に、複数のローラーが設けられた吸引チャンバ（ベルト支持部材）が配置されている。
【０００９】
特許文献２に開示のインクジェット記録装置においては、搬送ベルトに非接触の状態で搬送ベルトを保持する保持機構が設けられている。当該保持機構は、気体が吸引される気体吸引部と、気体が供給される気体供給部とを備え、搬送ベルトに負圧を与える一方で、部分的に正圧を与える。
【００１０】
特許文献３に開示のインクジェット記録装置においては、搬送ベルトが支持部材に摺動可能に構成されており、搬送ベルトを支持する支持部材は、ヘッド部に対向する対向領域よりも搬送方向の上流側に位置する第１領域と、当該第１領域の搬送方向下流側に位置し上記対向領域を含む第２領域とを有する。第１領域に負荷される負圧は、第２領域に負荷される負圧よりも大きくなっている。
【先行技術文献】
【特許文献】
【００１１】
【特許文献１】特開２０１６−１５０７９４号公報
【特許文献２】ＷＯ２０１３／１５０６７７
【特許文献３】特開２０１６−１０７４３５号公報
【発明の概要】
【発明が解決しようとする課題】
【００１２】
ここで、用紙が支持部材上を通過する通過領域の全域において搬送ベルトと用紙との間を真空状態にする場合には、搬送ベルトと支持部材との間に作用する摩擦力が増大する。このような場合には、搬送ベルトの摩耗量が増加するため、搬送ベルトの寿命が短くなってしまう。また、搬送ベルトの駆動負荷も増大する。
【００１３】
上記特許文献１に開示のインクジェット記録装置においては、複数のローラーによって搬送ベルトが送られるため、搬送ベルトとベルト支持部材との間に作用する摩擦を低減することができる。しかしながら、複数のローラーを使用するため組付性が悪く、ベルトの平面性を確保するのが困難となり、この結果、用紙の平面性を確保することも困難となる。
【００１４】
上記特許文献２に開示のインクジェット記録装置においては、搬送ベルトと保持機構との間に摩擦力が作用しない。しかしながら、負圧が与えられない領域（すなわち正圧が与えられる領域）では、用紙と搬送ベルトとの吸着性が低下するため、用紙の平面性を確保することが困難となる。
【００１５】
上記特許文献３に開示のインクジェット記録装置においては、支持部材がヘッド部に対向しない領域において吸引力を強め、支持部材がヘッド部に対向する領域において吸引力が弱くなる。このため、用紙にインクが吐出される領域で用紙の平面性を確保することが困難となる。
【００１６】
本開示は、上記のような問題に鑑みてなされたものであり、本開示の目的は、記録媒体を搬送する搬送ベルトに作用する摩擦を軽減しつつ、記録媒体の平面性を確保することができる画像形成装置を提供することにある。
【課題を解決するための手段】
【００１７】
本開示に基づく画像形成装置は、搬送方向に沿って記録媒体を搬送する搬送ベルトを含む搬送部と、搬送される上記記録媒体に向けてインクを吐出する少なくとも１つ以上のヘッド部と、上記記録媒体を上記搬送ベルトに吸着させるための吸引部と、を備える。上記搬送部には、上記記録媒体の画像形成領域に対応して上記ヘッド部がインクを吐出する領域を少なくとも含む第１吸引領域と上記第１吸引領域の周囲に位置する第２吸引領域とが設けられている。上記吸引部による吸引力が、上記第２吸引領域よりも上記第１吸引領域の方が大きくなっている。
【００１８】
上記本開示に基づく画像形成装置は、上記吸引部の吸引動作を制御する制御部をさらに備える。上記制御部は、上記画像形成領域の大きさ、および／または画像形成態様に応じて上記吸引動作を制御することにより、上記第１吸引領域の大きさを変更する。
【００１９】
上記本開示に基づく画像形成装置にあっては、上記搬送部は、上記ヘッド部と向かい合うように配置され、上記ヘッド部との間を上記搬送ベルトが通過するように上記搬送ベルトを支持する支持部材を含んでいてもよい。この場合には、上記搬送ベルトには、複数の吸引孔が設けられることが好ましく、上記支持部材には、当該支持部材に対向する部分の上記搬送ベルトに設けられた複数の上記吸引孔に連通する複数の貫通孔が設けられていることが好ましい。さらに、上記支持部材において、上記複数の貫通孔が設けられた領域は複数の区画領域に区画されていることが好ましい。上記吸引部は、上記区画領域ごとに上記吸引孔および上記貫通孔を介して気体を吸引可能に構成されていることが好ましい。さらにこの場合には、上記制御部は、上記複数の区画領域のうちの上記第１吸引領域に対応する一部の上記区画領域における吸引力が上記複数の区画領域のうちの他の上記区画領域における吸引力よりも大きくなるように、上記吸引動作を制御することが好ましい。
【００２０】
上記本開示に基づく画像形成装置は、上記ヘッド部よりも上記搬送方向上流側に配置され、搬送される上記記録媒体を上記搬送ベルトに向けて押し当てる押し当て部材をさらに備えていてもよい。また、上記押し当て部材は、上記搬送方向における上記第２吸引領域と上記第１吸引領域との境界部に配置されていてもよい。この場合には、上記記録媒体は、上記押し当て部材によって上記搬送ベルトに向けて押しつけられた状態で上記第１吸引領域に搬送されることが好ましい。
【００２１】
上記本開示に基づく画像形成装置にあっては、上記押し当て部材は、ローラー部材によって構成されていてもよい。
【００２２】
上記本開示に基づく画像形成装置にあっては、上記ローラー部材が上記搬送方向に向けて上記記録媒体を搬送する搬送速度は、上記搬送部が上記記録媒体を搬送する速度と同等以上であることが好ましい。
【００２３】
上記本開示に基づく画像形成装置にあっては、上記少なくとも１つ以上のヘッド部は、第１ヘッド部と、上記第１ヘッド部よりも上記搬送方向の下流側に配置された第２ヘッド部とを含んでいてもよい。この場合には、上記押し当て部材は、少なくとも上記第１ヘッド部と上記第２ヘッド部との間に配置されていることが好ましい。さらに上記画像形成装置は、上記第１ヘッド部と上記押し当て部材との間に配置され、上記第１ヘッド部から上記記録媒体に吐出されたインクを硬化させるための光照射部をさらに備えることが好ましい。
【００２４】
上記本開示に基づく画像形成装置は、上記第１ヘッド部と上記光照射部との間に配置された仕切部材をさらに備えていてもよい。この場合には、上記仕切部材は、上記光照射部から照射されて上記第１ヘッド部に向かう光を遮光することが好ましい。
【００２５】
上記本開示に基づく画像形成装置は、上記搬送方向と交差する方向に上記仕切部材を移動させるための移動機構と、上記移動機構の動作を制御する制御部をさらに備えていてもよい。この場合には、上記制御部は、上記移動機構の動作を制御して、上記記録媒体の厚みに応じて上記仕切部材と上記搬送部との間の間隔を調整することが好ましい。
【００２６】
上記本開示に基づく画像形成装置は、上記光照射部および上記第１ヘッド部の周辺に浮遊する浮遊物を回収可能なダクトをさらに備えていてもよい。
【発明の効果】
【００２７】
本開示によれば、記録媒体を搬送する搬送ベルトに作用する摩擦を軽減しつつ、記録媒体の平面性を確保することができる画像形成装置を提供することができる。
【図面の簡単な説明】
【００２８】
【図１】実施の形態１に係るインクジェット記録装置の概略図である。
【図２】実施の形態１に係るインクジェット記録装置が有する画像形成部の構成を示す概略図である。
【図３】実施の形態１に係る画像形成部が有するヘッド部の周辺構造を示す概略図である。
【図４】実施の形態１に係る画像形成部における第１の搬送態様を示す概略平面図である。
【図５】実施の形態１に係る画像形成部における第２の搬送態様を示す概略平面図である。
【図６】実施の形態１に係る画像形成部における第３の搬送態様を示す概略平面図である。
【図７】実施の形態２に係るインクジェット記録装置が有するヘッド部の周辺構造を示す概略図である。
【図８】実施の形態３に係るインクジェット記録装置が有するヘッド部の周辺構造を示す概略図である。
【図９】図８に示す矢視ＩＸ方向から見た場合の正面図である。
【発明を実施するための形態】
【００２９】
以下、本開示の実施の形態について、図を参照して詳細に説明する。以下に示す実施の形態においては、画像形成装置として、インクジェット記録装置を例示して説明する。以下に示す、同一のまたは共通する部分について図中同一の符号を付し、その説明は繰り返さない。
【００３０】
（実施の形態１）
図１は、実施の形態１に係るインクジェット記録装置の概略図である。図１を参照して、実施の形態１に係るインクジェット記録装置１について説明する。
【００３１】
図１に示すように、実施の形態１に係るインクジェット記録装置１は、複数の処理部を備え、記録媒体が複数の処理部に順次搬送されるように構成されている。複数の処理部には、供給部２、放電部３、加熱部４、レジスト部５、画像形成部６、照射部７、検査部８、およびスタッカー部９が含まれる。
【００３２】
供給部２、放電部３、加熱部４、レジスト部５、画像形成部６、照射部７、検査部８、およびスタッカー部９は、記録媒体Ｍの搬送方向に沿ってこの順で配置されている。
【００３３】
供給部２は、搬送方向の下流側に位置する放電部３に向けて記録媒体Ｍを供給する。供給部２には、複数の記録媒体Ｍが収容されている。記録媒体Ｍとしては、枚葉紙、厚紙、段ボール材や樹脂板などを用いることができる。
【００３４】
放電部３は、記録媒体Ｍに向けて放電する。放電部３は、たとえば記録媒体Ｍに向けてプラズマ等を照射することにより、記録媒体Ｍの表面を改質する。これにより、記録媒体Ｍとインクとの親和性が高められる。放電部３は、表面が改質された記録媒体Ｍを加熱部４に向けて搬送する。
【００３５】
加熱部４は、記録媒体Ｍが所望の温度範囲内の温度となるように記録媒体Ｍを加熱する。加熱部４は、加熱された記録媒体Ｍをレジスト部５に向けて搬送する。レジスト部５は、搬送方向に対して斜行した記録媒体Ｍの姿勢を整える。レジスト部５は、姿勢が整えられた記録媒体Ｍを画像形成部６に向けて搬送する。
【００３６】
画像形成部６は、搬送される記録媒体Ｍの表面に画像を形成する。画像形成部６においては、記録媒体Ｍの表面にインクが吐出される。画像形成部６は、画像が形成された記録媒体Ｍを照射部７に向けて搬送する。
【００３７】
照射部７は、記録媒体Ｍに向けてＵＶ等の光を照射し、記録媒体Ｍに吐出されたインクを硬化させる。これにより、記録媒体Ｍ上に画像を定着させる。照射部７は、画像が定着された記録媒体Ｍを検査部８に搬送する。
【００３８】
検査部８は、ラインセンサー等を用いて記録媒体Ｍに定着された画像を検査する。検査部８は、検査された記録媒体Ｍをスタッカー部９に排出する。スタッカー部９には、画像が定着された記録媒体Ｍが収容される。
【００３９】
図２は、実施の形態１に係るインクジェット記録装置が有する画像形成部の構成を示す概略図である。図２を参照して、画像形成部６について説明する。
【００４０】
図２に示すように、画像形成部６は、複数のヘッド部１１Ｙ，１１Ｍ，１１Ｃ，１１Ｋ、搬送部２０、吸引部３０、および制御部５０を備える。
【００４１】
複数のヘッド部１１Ｙ，１１Ｍ，１１Ｃ，１１Ｋは、記録媒体Ｍの搬送方向に沿ってこの順で配置されている。複数のヘッド部１１Ｙ，１１Ｍ，１１Ｃ，１１Ｋは、後述する搬送ベルト２１に沿って配置されている。
【００４２】
複数のヘッド部１１Ｙ，１１Ｍ，１１Ｃ，１１Ｋは、搬送される記録媒体Ｍに向けてインクを吐出する。ヘッド部１１Ｙは、黄色のインクを吐出する。ヘッド部１１Ｍは、マゼンタ色のインクを吐出する。ヘッド部１１Ｃは、シアン色のインクを吐出する。ヘッド部１１Ｋは、黒色のインクを吐出する。各色のインクは、光硬化性材料で構成されている。
【００４３】
画像形成部６は、複数のローラー部材１２、および複数の光照射部１３をさらに備える。複数のローラー部材１２は、それぞれ、ヘッド部１１Ｙ，１１Ｍ，１１Ｃ，１１Ｋに対して搬送方向上流側に配置される。
【００４４】
ローラー部材１２は、搬送部２０側に向けて付勢されており、押し当て部材として機能する。ローラー部材１２は、搬送される記録媒体Ｍを搬送ベルト２１に向けて押し当てる。
【００４５】
複数の光照射部１３は、それぞれ、ヘッド部１１Ｙ，１１Ｍ，１１Ｃ，１１Ｋに対して搬送方向下流側に配置される。各ヘッド部に対して搬送方向下流側に配置された光照射部１３は、各ヘッド部から吐出されたインクを半硬化させる。
【００４６】
搬送部２０は、搬送方向に沿って記録媒体を搬送する。搬送部２０は、搬送ベルト２１、駆動ローラー２２、従動ローラー２３、テンションローラー２４、および支持部材２５を含む。
【００４７】
搬送ベルト２１は、無端状のベルトである。搬送ベルト２１は、駆動ローラー２２、従動ローラー２３、およびテンションローラー２４に巻回されている。駆動ローラー２２が回転することにより、搬送ベルト２１が回転し、記録媒体Ｍを搬送する。
【００４８】
搬送ベルト２１には、複数の吸引孔が設けられている。吸引孔を通して空気を吸い込むことにより、搬送ベルト２１に記録媒体Ｍを吸着させることができる。
【００４９】
駆動ローラー２２および従動ローラー２３は、搬送方向に離間して配置されている。駆動ローラー２２は、たとえばモーター（図示しない）によって回転駆動される。駆動ローラー２２の回転に連動して、搬送ベルト２１および従動ローラー２３が回転する。
【００５０】
テンションローラー２４は、支持部材２５の下方に配置されている。テンションローラー２４は、上下方向に移動可能に設けられている。テンションローラー２４の上下方向の位置を設定することにより、搬送ベルト２１に適切にテンションを与えることができる。
【００５１】
支持部材２５は、複数のヘッド部１１Ｙ，１１Ｍ，１１Ｃ，１１Ｋに向かい合うように配置されている。支持部材２５は、駆動ローラー２２と従動ローラー２３との間に隙間に配置されている。
【００５２】
支持部材２５は、複数のヘッド部１１Ｙ，１１Ｍ，１１Ｃ，１１Ｋとの間を搬送ベルト２１が通過するように搬送ベルト２１を支持する。支持部材２５は、搬送ベルト２１を支持する支持面を有する。当該支持面は、搬送ベルト２１の内周面に当接する。
【００５３】
支持部材２５には、複数の貫通孔が設けられている。複数の貫通孔は、支持面に貫通するように設けられている。複数の貫通孔は、支持部材２５に当接する部分の搬送ベルト２１に設けられた複数の吸引孔に連通する。支持部材２５において、複数の貫通孔が設けられた領域は、複数の区画領域に区画されている。複数の区画領域は、たとえば格子状に配置される。
【００５４】
吸引部３０は、記録媒体Ｍを搬送部２０に吸着させる。具体的には、吸引部３０は、上記吸引孔および貫通孔から空気を吸い込むことにより、記録媒体Ｍを搬送ベルト２１に吸着させる。吸引部３０は、上記区画領域ごとに吸引孔および貫通孔を介して空気を吸引可能に構成されている。
【００５５】
吸引部３０は、第１ポンプ３１、第２ポンプ３２、第１配管３４、および第２配管３５を含む。第１配管３４の一端側は、第１ポンプ３１に接続されている。第１配管３４の他端側は分岐しており、分岐した先端が上記複数の区画領域のうち一部の区画領域に接続されている。第２配管３５の一端側は、第２ポンプ３２に接続されている。第２配管３５の他端側は分岐しており、分岐した先端が上記複数の区画領域のうち他の区画領域に接続されている。
【００５６】
なお、吸引部３０は、複数の電磁弁を備えている。当該各電磁弁は、分岐されて各区画領域に接続される第１配管３４および第２配管３５の先端側に設けられる。
【００５７】
制御部５０は、吸引部３０の吸引動作を制御する。具体的には、制御部５０は、第１ポンプ３１および第２ポンプ３２の吸引力、および／または、電磁弁の開閉度を適宜制御することにより、区画領域毎の吸引力を制御する。これにより、制御部５０は、搬送部２０に吸引力が異なる第１吸引領域Ｒ１と第２吸引領域Ｒ２とを形成する。第１吸引領域Ｒ１における吸引力は、第２吸引領域Ｒ２における吸引力よりも大きくなっている。
【００５８】
制御部５０は、記録媒体Ｍの画像形成領域の大きさに応じて上記のように吸引部３０の吸引動作を制御することにより、第１吸引領域Ｒ１の大きさおよび第２吸引領域Ｒ２の大きさを変更することができる。
【００５９】
なお、ポンプの個数および配管の個数は、２つに限定されず、適宜変更することができる。
【００６０】
図３は、実施の形態１に係る画像形成部に含まれるヘッド部の周辺構造を示す概略図である。なお、図３においては便宜上のため、画像形成部に含まれる複数のヘッド部のうち１つのヘッド部１１Ｙの周辺構造を示している。
【００６１】
図３に示すように、ローラー部材１２は、第１吸引領域Ｒ１と第２吸引領域Ｒ２との境界部に配置されている。なお、第１吸引領域Ｒ１は、記録媒体において画像が形成される画像形成領域に対応してインクを吐出する領域Ｒ３を少なくとも含む領域である。第２吸引領域Ｒ２は、第１吸引領域Ｒ１の周囲に位置する。
【００６２】
上記のようにローラー部材１２が配置されることにより、記録媒体Ｍは、ローラー部材１２によって搬送ベルト２１に押し付けられた状態で第１吸引領域Ｒ１に搬送される。
【００６３】
これにより、搬送方向の下流側における記録媒体Ｍの先端の浮きを抑制することができ、上記第１吸引領域Ｒ１において記録媒体Ｍを確実に搬送ベルト２１に吸着させることができる。
【００６４】
また、ローラー部材１２が搬送方向に向けて記録媒体を搬送する搬送速度は、搬送部２０が記録媒体Ｍを搬送する速度と同等以上であることが好ましい。これにより、記録媒体Ｍを搬送方向に確実に案内しつつ、記録媒体Ｍに張力を発生できるため、記録媒体Ｍが撓むことを抑制できる。
【００６５】
さらに、ヘッド部１１Ｙに対して搬送方向下流側には光照射部１３およびローラー部材１２が配置されている。ヘッド部１１Ｙに対して搬送方向下流側に位置するローラー部材１２は、ヘッド部１１Ｙとヘッド部１１Ｍとの間に配置されている。
【００６６】
また、上記光照射部１３は、ヘッド部１１Ｙと当該ヘッド部１１Ｙの搬送方向下流側に位置するローラー部材１２との間に配置されている。この光照射部１３は、ヘッド部１１Ｙから吐出されたインクに紫外線等の光を照射することによりインクを半硬化させる。
【００６７】
当該インクを半硬化させることにより、ヘッド部１１Ｙに対して搬送方向下流側に位置するローラー部材１２が、ヘッド部１１Ｙを通過して次のヘッド部１１Ｍに向けて移動する記録媒体Ｍに当接する際に、インクがローラー部材１２に付着することを抑制することができる。
【００６８】
図４から図６は、実施の形態１に係る画像形成部における第１から第３の搬送態様を示す概略平面図である。図４から図６を参照して、画像形成部６における搬送態様について説明する。なお、図４から図６においては、便宜上のため、ローラー部材１２、光照射部１３等を省略している。
【００６９】
図４に示すように、第１の搬送態様においては、記録媒体Ｍのサイズが小さいものを搬送する。この場合には、搬送方向に直交する第１吸引領域Ｒ１の幅は、小さくなっている。
【００７０】
図５に示すように、第２の搬送態様においては、記録媒体Ｍのサイズが大きいものを搬送する。この場合には、上記第１吸引領域Ｒ１の幅は、大きくなっている。
【００７１】
図６に示すように、第３の搬送態様は、画像形成態様がモノクロ印刷である場合の搬送態様である。この場合には、モノクロ印刷に使用されるヘッド部１１Ｋがインクを吐出する領域の周辺のみを第１吸引領域Ｒ１としている。
【００７２】
図４から図６に示すように、制御部５０は、画像形成領域、および／または画像形成態様に応じて吸引部３０の吸引動作を制御することにより、第１吸引領域Ｒ１の大きさを適宜変更することができる。
【００７３】
以上のように、実施の形態１に係るインクジェット記録装置１にあっては、搬送部２０に、記録媒体Ｍの画像形成領域に対応してヘッド部がインクを吐出する領域Ｒ３を少なくとも含む第１吸引領域Ｒ１と当該第１吸引領域Ｒ１の周囲に位置する第２吸引領域Ｒ２が設けられており、吸引部３０における吸引力が、第２吸引領域Ｒ２よりも第１吸引領域Ｒ１の方が大きくなっている。
【００７４】
このため、ヘッド部からインクが吐出される領域Ｒ３を含む第１吸引領域Ｒ１においては、記録媒体Ｍを搬送ベルト２１に確実に吸引することができる。これにより、ヘッド部からインクを吐出する際に、記録媒体Ｍの平面性を確保することができる。
【００７５】
また、第１吸引領域Ｒ１の周囲に位置する第２吸引領域Ｒ２においては、吸引力が第１吸引領域Ｒ１より小さくなっている。このため、第２吸引領域Ｒ２を搬送ベルト２１が通過する際に搬送ベルト２１が支持部材２５摺動することで発生する摩擦力を低減させることができる。
【００７６】
以上のように、実施の形態１に係るインクジェット記録装置１は、記録媒体Ｍを搬送する搬送ベルトに作用する摩擦を軽減しつつ、記録媒体の平面性を確保することができる画像形成装置を提供することができる。
【００７７】
（実施の形態２）
図７は、実施の形態２に係るインクジェット記録装置が有するヘッド部の周辺構造を示す概略図である。なお、図７においては、便宜上のため、インクジェット記録装置に含まれる複数のヘッド部のうち１つのヘッド部１１Ｙの周辺構造を示している。図７を参照して、実施の形態２に係るインクジェット記録装置について説明する。
【００７８】
図７に示すように、実施の形態２に係るインクジェット記録装置は、実施の形態１に係るインクジェット記録装置１と比較して、画像形成部６Ａの構成が相違する。その他の構成については、ほぼ同様である。画像形成部６Ａは、実施の形態１に係る画像形成部６と比較した場合に、主として複数の仕切部材１４を備える点において相違する。
【００７９】
複数の仕切部材１４は、それぞれ、ヘッド部１１Ｙ，１１Ｍ，１１Ｃ，１１Ｋと、これらヘッド部に対して搬送方向下流側に配置された光照射部１３との間に配置されている。仕切部材１４は、光照射部から照射されて当該光照射部よりも搬送方向上流側に位置するヘッド部に向かう光を遮光する。
【００８０】
仕切部材１４は、搬送ベルト２１との間の隙間を記録媒体Ｍが通過可能となるように、搬送ベルト２１の上方に配置されている。
【００８１】
画像形成部６は、仕切部材１４を移動させる移動機構６０をさらに備える。移動機構６０は、たとえば、上下方向に仕切部材１４を移動させる。移動機構６０としては、仕切部材１４の移動を案内する案内部を有するスライド機構等を採用することができる。
【００８２】
移動機構６０の動作は、制御部５０によって制御される。制御部５０は、移動機構６０の動作を制御して、記録媒体Ｍの厚みに応じて仕切部材１４と搬送ベルト２１との間の間隔を調整する。
【００８３】
以上のように構成される場合であっても、実施の形態２に係るインクジェット記録装置は、実施の形態１に係るインクジェット記録装置１とほぼ同様の効果が得られる。
【００８４】
さらに、仕切部材１４を備えた構成とすることにより、光照射部１３から照射された光が、ヘッド部に直接入射されることを抑制することができる。これにより、ヘッド部でインクが硬化されることを抑制することができる。
【００８５】
（実施の形態３）
図８は、実施の形態３に係るインクジェット記録装置が有するヘッド部の周辺構造を示す概略図である。図９は、図８に示す矢視ＩＸ方向から見た場合の正面図である。図８および図９を参照して、実施の形態３に係るインクジェット記録装置について説明する。
【００８６】
図８に示すように、実施の形態３に係るインクジェット記録装置は、実施の形態２に係るインクジェット記録装置と比較して、画像形成部６Ｂの構成が相違する。その他の構成については、ほぼ同様である。画像形成部６Ｂは、実施の形態２に係る画像形成部６Ａと比較した場合に、主として複数のダクト１５を備える点において相違する。
【００８７】
複数のダクト１５は、それぞれ、ヘッド部１１Ｙ，１１Ｍ，１１Ｃ，１１Ｋと、これらヘッド部に対して搬送方向下流側に配置されている。具体的には、ダクト１５は、光照射部１３よりも搬送方向下流側に配置されている。
【００８８】
ヘッド部および当該ヘッド部よりも搬送方向下流側に配置された光照射部の周辺に浮遊する浮遊物を回収可能に構成されている。浮遊物は、ヘッドからインクを吐出する差に発生するインクミストや、光照射部によって発生するオゾン等である。
【００８９】
図９に示すように、ダクト１５は、ヘッド部１１Ｙおよび光照射部１３に向かう吸込口１５ａを有する。ダクト１５には、ファン１６が設けられており、当該ファン１６が回転することにより、吸込口１５ａから周辺の空気が吸引される。
【００９０】
以上のように構成される場合であっても、実施の形態３に係るインクジェット記録装置は、実施の形態２に係るインクジェット記録装置とほぼ同様の効果が得られる。
【００９１】
さらに、浮遊物を回収可能なダクト１５を備えた構成とすることにより、オゾンによるローラー部材１２の劣化やインクミストによるインク汚染を抑制することができる。さらに、光照射部１３に対して搬送方向下流側にダクト１５を配置することにより、光照射部１３からの光が、当該光照射部１３よりも搬送方向下流側に位置するヘッド部に直接入射されることを抑制することができる。これにより、ヘッド部でインクが硬化されることを抑制することができる。
【００９２】
なお、上述した実施の形態１から３においては、押し当て部材として、記録媒体Ｍに当接するローラー部材が用いられる場合を例示して説明したが、これに限定されず、送風装置が用いられてもよい。この場合には、送風装置は、記録媒体Ｍに風を吹き付けることにより、記録媒体Ｍを搬送ベルト２１に向けて押し当てる。
【００９３】
以上、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００９４】
１  インクジェット記録装置、２  供給部、３  放電部、４  加熱部、５  レジスト部、６，６Ａ，６Ｂ  画像形成部、７  照射部、８  検査部、９  スタッカー部、１１Ｃ，１１Ｋ，１１Ｍ，１１Ｙ  ヘッド部、１２  ローラー部材、１３  光照射部、１４  仕切部材、１５  ダクト、１５ａ  吸込口、１６  ファン、２０  搬送部、２１  搬送ベルト、２２  駆動ローラー、２３  従動ローラー、２４  テンションローラー、２５  支持部材、３０  吸引部、３１  第１ポンプ、３２  第２ポンプ、３４  第１配管、３５  第２配管、５０  制御部、６０  移動機構、Ｍ  記録媒体、Ｒ１  第１吸引領域、Ｒ２  第２吸引領域、Ｒ３  領域。
【図１】
2019198967.tif 000003
【図２】
2019198967.tif 000004
【図３】
2019198967.tif 000005
【図４】
2019198967.tif 000006
【図５】
2019198967.tif 000007
【図６】
2019198967.tif 000008
【図７】
2019198967.tif 000009
【図８】
2019198967.tif 000010
【図９】
2019198967.tif 000011